(57)【特許請求の範囲】
【請求項１】
貯留した遊技媒体を遊技者に向けて排出するための駆動モーターを有する媒体貯留部と、
少なくとも前記駆動モーターの回転及び回転停止を切替えるドライバ回路と、
前記駆動モーターと前記ドライバ回路とを電気的に接続するモーター接続経路と、
前記ドライバ回路を静電気から保護するための保護回路とを備えた遊技機であって、
前記保護回路は、
前記モーター接続経路上に直列接続した少なくとも１つのインダクタと、
前記モーター接続経路と前記インダクタの一端とが接続する接続点と、
前記接続点に接続され静電気を電源または接地へバイパスするバイパス用素子とを備え、
前記ドライバ回路は、
電界効果トランジスタと、
前記電界効果トランジスタに並列に接続された回路内ダイオードとを備え、
前記バイパス用素子は、
前記回路内ダイオードの順方向電圧よりも順方向電圧が低いダイオードとしたことを特徴とする
遊技機。
【請求項２】
前記インダクタは、
前記接続点よりも前記駆動モーター側に接続されたモーター側インダクタと、
前記接続点よりも前記ドライバ回路側に接続された回路側インダクタとから成ること特徴とする
請求項１に記載の遊技機。
【請求項３】
前記保護回路は、
前記バイパス用素子と接地との間に接続されたコンデンサを備え、
前記コンデンサは、
前記バイパス用素子の近傍に配置されていることを特徴とする
請求項１又は請求項２に記載の遊技機。
【請求項４】
前記遊技機は、
前記ドライバ回路が電源ノイズの影響を受けることを防止するためのバイパスコンデンサを備えるものであって、
前記コンデンサの静電容量は、
前記バイパスコンデンサの静電容量よりも大きいことを特徴とする
請求項３に記載の遊技機。
【請求項５】
貯留した遊技媒体を遊技者に向けて排出するための駆動モーターを有する媒体貯留部と、
少なくとも前記駆動モーターの回転及び回転停止を切替えるドライバ回路と、
前記駆動モーターと前記ドライバ回路とを電気的に接続するモーター接続経路と、
前記ドライバ回路を静電気から保護するための保護回路とを備えた遊技機であって、
前記保護回路は、
前記モーター接続経路上に直列接続した少なくとも１つのインダクタと、
前記モーター接続経路と前記インダクタの一端とが接続する接続点と、
前記接続点に接続され静電気を電源または接地へバイパスするバイパス用素子とを備え、
前記保護回路は、
前記バイパス用素子と接地との間に接続されたコンデンサを備え、
前記コンデンサは、
前記バイパス用素子の近傍に配置されており、
前記遊技機は、
前記ドライバ回路が電源ノイズの影響を受けることを防止するためのバイパスコンデンサを備えるものであって、
前記コンデンサの静電容量は、
前記バイパスコンデンサの静電容量よりも大きいことを特徴とする
遊技機。
【発明の詳細な説明】
【技術分野】
【０００１】
この発明は、例えば遊技媒体を貯留するとともに、遊技の進行に応じて遊技媒体を遊技者に払い出す媒体貯留部を有するような遊技機に関する。
【背景技術】
【０００２】
遊技者が遊技媒体を投入して遊技を楽しむ遊技機として、遊技者の操作を契機に複数の図柄が描かれたリールを回転させるとともに、適宜のタイミングで停止させた際の図柄によって、遊技者が利益を獲得する回胴式遊技機（以下、スロットマシンと呼ぶ）がある。
【０００３】
このようなスロットマシンは、遊技媒体であるメダルを貯留するとともに、遊技の進行に応じてメダルを遊技者に払い出すホッパーユニットを内部に備えている。このホッパーユニットは、メダルを貯留するホッパータンク（スコップともいう）、一枚ずつメダルを搬送する略円板状のローター、ローターからメダルを外部に排出するメダルキッカー、及びローターを回転駆動させる駆動モーターなどで構成している。
【０００４】
ところで、駆動モーターによってローターが回転すると、ホッパータンク内でメダルが攪拌され、メダル同士の摩擦、あるいはホッパータンクとメダルとの摩擦によって静電気が発生し、メダルやホッパータンクが帯電した状態となる。
【０００５】
このような静電気を除電する技術として、例えば、特許文献１に記載の遊技機は、貯留手段（ホッパーユニットに相当）から払出口へと遊技媒体を案内する通路上に備えた導電性繊維に、払い出される遊技媒体を接触させることで、遊技媒体に帯電した静電気を除電している。これにより、遊技者の指先と払い出された遊技媒体とが近接しても静電気が放電することがないため、特許文献１に記載の遊技機は、遊技者に不快感を与えることを防止している。
【０００６】
しかしながら、特許文献１に記載の遊技機は、ホッパーユニットの内部に帯電した静電気に対して、除電効果を期待することができない。このため、ホッパーユニット内で静電気が放電すると、駆動モーターの回転を制御する制御基板などに、放電によって生じた放電電流が駆動モーターを介して流入することがあった。この際、駆動モーターの回転駆動を制御するドライバ回路に放電電流が流入して、ドライバ回路が破損するなどの不具合が生じるおそれがあった。
【先行技術文献】
【特許文献】
【０００７】
【特許文献１】特開２００９−２６１７１４号公報
【発明の概要】
【発明が解決しようとする課題】
【０００８】
本発明は、上述の問題に鑑み、静電気の放電によって生じた放電電流のドライバ回路への流入を抑制することができる遊技機を提供することを目的とする。
【課題を解決するための手段】
【０００９】
この発明は、貯留した遊技媒体を遊技者に向けて排出するための駆動モーターを有する媒体貯留部と、少なくとも前記駆動モーターの回転及び回転停止を切替えるドライバ回路と、前記駆動モーターと前記ドライバ回路とを電気的に接続するモーター接続経路と、前記ドライバ回路を静電気から保護するための保護回路とを備えた遊技機であって、前記保護回路は、前記モーター接続経路上に直列接続した少なくとも１つのインダクタと、前記モーター接続経路と前記インダクタの一端とが接続する接続点と、前記接続点に接続され静電気を電源または接地へバイパスするバイパス用素子とを備え、前記ドライバ回路は、電界効果トランジスタと、前記電界効果トランジスタに並列に接続された回路内ダイオードとを備え、前記バイパス用素子は、前記回路内ダイオードの順方向電圧よりも順方向電圧が低いダイオードとしたことを特徴とする。
【００１０】
この発明により、静電気の放電によって生じた放電電流のドライバ回路への流入を抑制することができる。  
具体的には、静電気の放電によって生じる放電電流は、駆動モーターを介してドライバ回路へ向けて流れる高周波の電流となる。
【００１１】
ところが、インダクタは、低周波の電流を流し易い性質を有する一方で、高周波の電流を流し難い性質を有しているため、駆動モーターを介して流入した放電電流のドライバ回路への流入を抑制することができる。より詳しくは、インダクタは、駆動モーターを介して流入した放電電流のピーク電流を小さくして出力することができる。
【００１２】
一方、ドライバ回路から駆動モーターへ流れる直流電流に対して、インダクタは、直流電流の流れを阻害することがない。このため、ドライバ回路と駆動モーターとをインダクタを介して電気的に接続しても、ドライバ回路は、駆動モーターの回転や回転停止を確実に切替え制御することができる。
【００１３】
また、モーター接続経路とインダクタの一端とが接続する接続点に接続され静電気を電源または接地へバイパスするバイパス用素子を備えているため、保護回路は、駆動モーターから流入する放電電流を、バイパス用素子へ流れる電流と、ドライバ回路へ流れる電流とに分割することができる。
【００１４】
これにより、保護回路は、放電電流の分割とインダクタとによって、ドライバ回路に流入する放電電流の電流をより小さくすることができる。  
従って、遊技機は、保護回路によって、静電気の放電によって生じた放電電流のドライバ回路への流入をより抑制して、ドライバ回路を保護することができる。
【００１５】
特に、前記ドライバ回路は、電界効果トランジスタと、前記電界効果トランジスタに並列に接続された回路内ダイオードとを備え、前記バイパス用素子は、前記回路内ダイオードの順方向電圧よりも順方向電圧が低いダイオードとすることにより、この遊技機は、静電気の放電によって生じた放電電流のドライバ回路への流入をより確実に抑制することができる。
【００１６】
具体的には、保護回路は、流入した放電電流を、ダイオードへ流れる電流とドライバ回路へ流れる電流とに分割するが、この際、回路内ダイオードの順方向電圧よりもダイオードの順方向電圧が低い、すなわち電流が流れ始める印加電圧が低いため、保護回路は、回路内ダイオードへ電流を流れ難くし、ダイオードへ電流を流し易くすることができる。
【００１７】
これにより、保護回路は、ダイオードへ流れる放電電流の割合を大きくすることができる。  
従って、遊技機は、回路内ダイオード及びダイオードにおける順方向電圧の差異によって、静電気の放電によって生じた放電電流をダイオードへ積極的に流すことができるため、放電電流のドライバ回路への流入をより確実に抑制することができる。
【００１８】
また、この発明の態様として、前記インダクタは、前記接続点よりも前記駆動モーター側に接続されたモーター側インダクタと、前記接続点よりも前記ドライバ回路側に接続された回路側インダクタとから成るものとすることができる。
【００１９】
この発明により、遊技機は、静電気の放電によって生じた放電電流のドライバ回路への流入をより確実に抑制することができる。  
具体的には、保護回路は、モーター側インダクタにより、駆動モーター側から流入した放電電流のピーク電流を小さくすることができる。
【００２０】
さらに、保護回路は、駆動モーター側から流入した放電電流を、ドライバ回路及び回路側インダクタへ流れる放電電流と、ダイオードへ流れる放電電流とに分割する。  
この時、ダイオードに順方向バイアスがかかっていれば、回路側インダクタのインピーダンスよりもダイオードのインピーダンスが小さくなるため、保護回路は、回路側インダクタへ流れる電流に対して、ダイオードへ流れる電流を大きくすることができる。これにより、保護回路は、ダイオードへ流れる放電電流の割合を大きくすることができる。
【００２１】
加えて、回路側インダクタにより、ドライバ回路に流入する放電電流のピーク電流をより小さくすることができる。  
従って、遊技機は、ダイオード及び回路側インダクタにおけるインピーダンスの差異によって、静電気の放電によって生じた放電電流をダイオードへ積極的に流すことができるため、放電電流のドライバ回路への流入をより確実に抑制することができる。
【００２２】
また、この発明の態様として、前記保護回路は、前記バイパス用素子と接地との間に接続されたコンデンサを備え、前記コンデンサは、前記バイパス用素子の近傍に配置されているとすることができる。
【００２３】
この発明により、遊技機は、静電気の放電によって生じた放電電流のドライバ回路への流入をより確実に抑制することができる。  
具体的には、コンデンサをバイパス用素子の近傍に配置することで、バイパス用素子を通った放電電流は、このコンデンサに流入するようになる。よって、ドライバ回路の電源に影響を及ぼすことがなくなる。
【００２４】
また、この発明の態様として、前記遊技機は、前記ドライバ回路が電源ノイズの影響を受けることを防止するためのバイパスコンデンサを備えるものであって、前記コンデンサの静電容量は、前記バイパスコンデンサの静電容量よりも大きいとすることができる。
【００２５】
この発明により、静電気の放電によって生じた放電電流のドライバ回路への流入をより確実に抑制することができる。  
具体的には、前記コンデンサは、ドライバＩＣの近傍に設けられるバイパスコンデンサよりも静電容量を大きくすることで、前記コンデンサの方が高周波に対してのインピーダンスが小さくなるため、より確実に前記コンデンサで放電電流を吸収することができる。
【００２６】
従って、遊技機は、バイパスコンデンサの静電容量より静電容量が大きいコンデンサをバイパス用素子の近傍に備えたことにより、静電気の放電によって生じた放電電流を前記コンデンサで吸収することができるため、放電電流のドライバ回路への流入をより確実に抑制することができる。
【発明の効果】
【００２７】
本発明により、静電気の放電によって生じた放電電流のドライバ回路への流入を抑制できる遊技機を提供することができる。
【図面の簡単な説明】
【００２８】
【図１】スロットマシンにおける正面視からの外観を示す正面図。
【図２】スロットマシンの前扉を開放した状態における外観を示す外観斜視図。
【図３】スロットマシンにおける内部構成を示すブロック図。
【図４】各リールのコマ番号と図柄を説明する説明図。
【図５】分解状態における払出しユニットの外観を示す外観斜視図。
【図６】ホッパー制御基板及びホッパーユニットにおける内部構成を示すブロック図。
【図７】ドライバＩＣ及び保護回路の回路構成を示す回路図。
【図８】ドライバＩＣの信号レベルと駆動モーターの動作状態との関係を説明する説明図。
【図９】静電気の放電による放電電流の流れを説明する説明図。
【発明を実施するための形態】
【００２９】
この発明の一実施形態を以下図面と共に説明する。  
まず、本実施例におけるスロットマシン１について、図１から図８を用いて詳しく説明する。  
なお、図１はスロットマシン１における外観の正面図を示し、図２はスロットマシン１の前扉２を開放した状態における外観の外観斜視図を示し、図３はスロットマシン１における内部構成のブロック図を示し、図４は各リールのコマ番号と図柄を説明する説明図を示し、図５は分解状態における払出しユニット３３ａの外観斜視図を示している。
【００３０】
さらに、図６はホッパー制御基板６１及びホッパーユニット３３における内部構成のブロック図を示し、図７はドライバＩＣ６３及び保護回路６４の回路図を示し、図８はドライバＩＣ６３の信号レベルと駆動モーター３２３の動作状態との関係を説明する説明図を示している。
【００３１】
また、図１中において、矢印Ｙは左右方向を示し（以下、「左右方向Ｙ」とする）、図２中において、矢印Ｘは前後方向を示す（以下「前後方向Ｘ」とする）。  
また、前後方向Ｘにおける前扉２側を前方とし、前後方向Ｘにおける筐体本体３側を後方とし、左右方向Ｙにおける図１中の右側を右方向とし、左右方向Ｙにおける図１中の左側を左方向とする。さらに、図１中の上側を上方とし、図１中の下側を下方とする。
【００３２】
スロットマシン１は、図１及び図２に示すように、正面視略矩形の箱状体であって、遊技者と対面する前扉２と、前方側が開口した筐体本体３とで構成している。なお、前扉２は、筐体本体３の前方左端を回転中心にして開閉可能に取り付けられている。  
前扉２における遊技者と対面する表面部分は、図１に示すように、上部ランプ１１、液晶モニタ１２、及び表示窓１３を上方からこの順番で配置している。
【００３３】
さらに、表示窓１３の下方には、メダル投入口１４、最大ベットスイッチ１５、及びベットスイッチ１６を右側からこの順で並置するとともに、その下方に３つのストップスイッチ１７、及びスタートスイッチ１８を右側からこの順で並置している。  
そして、さらにその下方には、下部ランプ１９、スピーカー２０、メダル払出口２１、及びメダル受け皿２２が上方からこの順番で配置している。
【００３４】
前扉２における裏面部分には、図２に示すように、メダル投入口１４に接続されたメダルセレクタ２３、メダルセレクタ２３を介してメダル投入口１４とメダル払出口２１とを接続するメダルシュート２４、及び液晶制御基板２５を配置している。なお、メダルシュート２４は、メダルが流通可能に形成している。  
一方、筐体本体３の内部には、図２に示すように、リールユニット３１、電源ユニット３２、ホッパーユニット３３、制御装置３４、及びホッパー制御装置６０を配置している。
【００３５】
より詳しくは、スロットマシン１は、図１から図３に示すように、上部ランプ１１、液晶モニタ１２、最大ベットスイッチ１５、ベットスイッチ１６、ストップスイッチ１７、スタートスイッチ１８、下部ランプ１９、スピーカー２０、メダルセレクタ２３、リールユニット３１、電源ユニット３２、ホッパーユニット３３、制御装置３４、及びホッパー制御装置６０で構成している。
【００３６】
上部ランプ１１は、ＬＥＤなどで構成され、所定の信号線を介して接続された制御装置３４（後述する演出制御装置５０）の指示によって、点灯、消灯、あるいは点滅する機能を有している。  
液晶モニタ１２は、液晶制御基板２５及び所定の信号線を介して接続された制御装置３４（後述する演出制御装置５０）の指示によって、遊技の進行に応じた各種演出画面や操作の案内画面を表示する機能を有している。
【００３７】
最大ベットスイッチ１５は、遊技制御装置４０が記憶しているクレジットに貯留されているメダルから１回の遊技で使用する最大枚数のメダルの投入を所望する遊技者の操作を受付ける機能を有している。  
ベットスイッチ１６は、クレジットに貯留されているメダルから１枚のメダルの投入を所望する遊技者の操作を受付ける機能を有している。
【００３８】
ストップスイッチ１７は、図１に示すように、左リール３１ａに対応する左ストップスイッチ１７ａ、中リール３１ｂに対応する中ストップスイッチ１７ｂ、及び右リール３１ｃに対応する右ストップスイッチ１７ｃで構成され、対応するリールの回転停止を所望する遊技者の操作を受付ける機能を有している。  
スタートスイッチ１８は、リールユニット３１を構成する各リールの回転開始を所望する遊技者の操作を受付ける機能を有している。
【００３９】
下部ランプ１９は、ＬＥＤなどで構成され、所定の信号線を介して接続された制御装置３４（後述する演出制御装置５０）の指示によって、点灯、消灯、あるいは点滅する機能を有している。  
スピーカー２０は、所定の信号線を介して接続された制御装置３４（後述する演出制御装置５０）の指示によって、遊技の進行に応じた音声を出力する機能を有している。
【００４０】
メダルセレクタ２３は、遊技者によってメダル投入口１４に投入されたメダルを検知する投入センサ（図示省略）、及びソレノイド（図示省略）などで構成し、所定の信号線を介して制御装置３４（後述する遊技制御装置４０）に接続している。なお、メダルセレクタ２３は、遊技者によってメダル投入口１４に投入されたメダルの搬送先を、メダルシュート２４あるいはホッパーユニット３３のいずれか一方に切り替える機能と、ホッパーユニット３３へ流下するメダルを検知する機能とを有している。
【００４１】
リールユニット３１は、左右方向Ｙを回転軸として同軸回転可能に並置した略円筒状の左リール３１ａ、中リール３１ｂ、及び右リール３１ｃと、各リールに連結された駆動モーター（図示省略）と、各リールに１つずつ設けた突起状のリールインデックス（図示省略）を検出する位置センサ（図示省略）などで構成している。このリールユニット３１は、所定の信号線を介して制御装置３４（後述する遊技制御装置４０）に接続している。
【００４２】
左リール３１ａ、中リール３１ｂ、及び右リール３１ｃには、図４に示すように、複数の図柄がプリントされた図柄シールがそれぞれ貼付されている。この図柄シールは、リールの回転方向に長い略短冊状であって、所定の大きさに区切られた２１個のコマにそれぞれ図柄を１つずつ配置している。このコマには、「ベル１」、「ベル２」、「ベル３」、「星」、及び「チェリー」の５種類の図柄のいずれか１つが配置されている。
【００４３】
なお、リールユニット３１の各リールは、図１に示すように、リールユニット３１における左右方向Ｙの長さと略同等の左右方向長さを有するとともに、各リールの図柄が３コマ分視認可能な上下方向の長さを有する略矩形で、無色透明に形成した表示窓１３を介して視認可能にしている。
【００４４】
電源ユニット３２は、電力の供給のオン、オフを切り替える電源スイッチ３２ａを前面に備えるとともに、外部から供給される電力を制御する機能と、制御した電力を各部に出力する機能とを有している。なお、電源ユニット３２は、交流電流を所定の電圧の直流電流に変換して出力する。
【００４５】
ホッパーユニット３３は、投入されたメダルを貯留する機能と、所定の信号線を介して接続された制御装置３４（後述する遊技制御装置４０）の指示によって、メダル払出口２１を介してメダル受け皿２２にメダルを排出する機能とを有している。このホッパーユニット３３は、メダルセレクタ２３から搬送されたメダルを貯留する払出しユニット３３ａ、払出しユニット３３ａから溢れ出したメダルを貯留する補助タンク（図示省略）で構成している。
【００４６】
詳しくは、払出しユニット３３ａは、図５に示すように、ホッパータンク３１０、及びユニット本体３２０を、上方からこの順番で配置して構成している。  
ホッパータンク３１０は、上方及び下方が開口した略ボックス状で、メダルセレクタ２３から搬送されたメダルを貯留可能に形成している。
【００４７】
ユニット本体３２０は、ホッパータンク３１０の下方開口と対向する略円板状のローター３２１、ローター３２１に近接して配置されたメダルキッカー３２２、ローター３２１を回転駆動させる駆動モーター３２３（図６参照）、排出されるメダルＭを検知する払出しセンサ３２４（図６参照）などで構成している。
【００４８】
ローター３２１は、メダルＭを一枚ずつ収容可能な複数の収容孔３２１ａを、周方向に沿って所定間隔を隔てて複数形成している。このローター３２１は、上面部分が右斜め上方を向くように配置されるとともに、回転可能に保持され、時計回りに回転することで、収容孔３２１ａのメダルＭを排出部３２５に搬送する。
【００４９】
メダルキッカー３２２は、排出部３２５に搬送されたメダルＭを、前方に弾き出す機能を有している。なお、前方に弾き出されたメダルＭは、メダルシュート２４のメダル通路２４ａ（図２参照）を介して、メダル払出口２１に排出される。
【００５０】
駆動モーター３２３は、電源ユニット３２、及びホッパー制御基板６１を介して供給された直流電流で駆動する直流モーターであって、接続されたローター３２１を時計方向回り、及び反時計方向回りに回転させる機能を有している。この駆動モーター３２３は、後述するホッパー制御装置６０を介して制御装置３４（後述する遊技制御装置４０）に接続している。
【００５１】
払出しセンサ３２４は、メダルキッカー３２２によって前方に弾き出されるメダルＭを１枚ずつ検知する機能を有している。なお、この払出しセンサ３２４は、信号線３７を介して制御装置３４（後述する遊技制御装置４０）に接続している。
【００５２】
制御装置３４は、図３に示すように、遊技制御装置４０、及び演出制御装置５０、及び遊技制御装置４０と演出制御装置５０とを電気的に接続するハーネス３５で構成している。  
より詳しくは、遊技制御装置４０を構成する遊技制御基板４１は、乱数発生回路４２、送信回路４３、及びこれらとデータバス（図示省略）を介して接続されるとともに、これらの動作を制御する第１マイコン４４を備えている。
【００５３】
乱数発生回路４２は、カウンタ回路、及びラッチ回路で構成され、「０」から「２５５」の範囲内で乱数値を発生させる機能を有している。  
送信回路４３は、第１マイコン４４が生成したコマンドを制御信号に変換する機能と、ハーネス３５を介して演出制御装置５０に制御信号を送信する機能とを有している。なお、制御信号は、遊技制御装置４０から演出制御装置５０への一方向のみに送信される。
【００５４】
第１マイコン４４は、所謂、ワンチップマイコンであって、第１ＲＯＭ４４ａ、第１ＲＡＭ４４ｂ、及び第１ＣＰＵ４４ｃなどで構成している。  
第１ＲＯＭ４４ａは、読取り専用のメモリで構成した記憶手段であって、遊技の進行を制御する遊技進行プログラムなどの各種プログラム、及び遊技の進行にかかる各種情報などを記憶している。
【００５５】
第１ＲＡＭ４４ｂは、読取り書込み可能なメモリで構成した記憶手段であって、遊技の進行に応じた各種情報を一時的に記憶する機能と、遊技の進行に応じて各種情報を読み出す機能とを有している。例えば、第１ＲＡＭ４４ｂには、遊技者が投入したメダルの枚数、あるいは遊技によって獲得したメダルの枚数を示すクレジットを一時記憶している。  
第１ＣＰＵ４４ｃは、遊技進行プログラムなどの各種プログラムを実行する機能と、接続された各部の動作を各種プログラムに基づいて制御する機能とを有している。
【００５６】
また、演出制御装置５０を構成する演出制御基板５１は、乱数発生回路５２、受信回路５３、及びこれらとデータバス（図示省略）を介して接続されるとともに、これらの動作を制御する第２マイコン５４を備えている。  
乱数発生回路５２は、カウンタ回路、及びラッチ回路で構成され、「０」から「２５５」の範囲内で乱数値を発生させる機能を有している。
【００５７】
受信回路５３は、遊技制御基板４１の送信回路４３から受信した制御信号を、コマンドに変換する機能と、変換したコマンドを一時記憶する機能と、第２マイコン５４の割り込み制御によって、記憶したコマンドを第２マイコン５４に出力する機能とを有している。
【００５８】
第２マイコン５４は、所謂、ワンチップマイコンであって、第２ＲＯＭ５４ａ、第２ＲＡＭ５４ｂ、及び第２ＣＰＵ５４ｃなどで構成している。  
第２ＲＯＭ５４ａは、読取り専用のメモリで構成した記憶手段であって、遊技の進行に応じた各種演出を制御する演出プログラムなどの各種プログラム、及び遊技の進行に応じた各種演出を示す演出情報などを記憶している。
【００５９】
第２ＲＡＭ５４ｂは、読取り書込み可能なメモリで構成した記憶手段であって、演出の進行に応じた各種情報を一時的に記憶する機能と、演出の進行に応じて各種情報を読み出す機能とを有している。  
第２ＣＰＵ５４ｃは、演出プログラムなどの各種プログラムを実行する機能と、接続された各部の動作を各種プログラムに基づいて制御する機能とを有している。
【００６０】
ホッパー制御装置６０を構成するホッパー制御基板６１は、図６及び図７に示すように、ハーネス３６を介して遊技制御基板４１と電気的に接続されるとともに、ホッパーユニット３３と電気的に接続している。なお、ホッパー制御基板６１には、電源ユニット３２から供給された３０Ｖの電源電圧が印加されている。
【００６１】
このホッパー制御基板６１は、遊技制御基板４１と電気的に接続されたドライバ制御回路６２、ドライバ制御回路６２と電気的に接続されたドライバＩＣ６３、及びドライバＩＣ６３と電気的に接続されるとともに、駆動モーター３２３に接続される保護回路６４で構成している。
【００６２】
ドライバ制御回路６２は、第１マイコン４４が出力したメダルの払い出しを示す払出し信号に基づいて、ドライバＩＣ６３に出力する電圧信号を制御する機能を有している。なお、ドライバＩＣ６３に出力される電圧信号は、駆動モーター３２３の動作状態を所望する状態に切替えさせる信号であって、Ｈｉレベル、あるいはＬｏレベルの電圧信号とする。
【００６３】
ドライバＩＣ６３は、直流モーターの駆動制御用ＩＣであって、ドライバ制御回路６２が出力した電圧信号に基づいて、駆動モーター３２３の動作状態を切替える機能を有している。このドライバＩＣ６３は、図７に示すように、電源電圧が印加される電源端子ＶＭ、ドライバ制御回路６２と接続される２つ入力端子ＩＮ１，ＩＮ２、駆動モーター３２３と接続される出力端子ＯＵＴ１，ＯＵＴ２、及びグランドに接続されるグランド端子ＧＮＤを備えている。
【００６４】
さらに、ドライバＩＣ６３は、制御部６３１、複数の電界効果トランジスタＱ１，Ｑ２，Ｑ３，Ｑ４から成るスイッチ部（図示省略）、及び電界効果トランジスタＱ１，Ｑ２，Ｑ３，Ｑ４のそれぞれに接続された逆起電力防止用のＰＮ接合型ダイオードＤ１，Ｄ２，Ｄ３，Ｄ４によって、ドライバ回路を構成している。  
制御部６３１は、入力端子ＩＮ１，ＩＮ２を介してドライバ制御回路６２と接続されるとともに、スイッチ部を構成する各電界効果トランジスタに出力する信号を制御する機能を有している。
【００６５】
スイッチ部は、電界効果トランジスタＱ１，Ｑ２，Ｑ３，Ｑ４によって構成されるＨブリッジ回路であって、電源端子ＶＭ−グランド端子ＧＮＤ間でドレイン端子、ソース端子を直列接続した電界効果トランジスタＱ１，Ｑ２、並びにＱ３，Ｑ４が並列に接続されている。
【００６６】
このスイッチ部は、直列接続した電界効果トランジスタＱ３と電界効果トランジスタＱ４との間に設けた接続点６３３を介して出力端子ＯＵＴ１と電気的に接続している。  
さらにスイッチ部は、直列接続した電界効果トランジスタＱ１と電界効果トランジスタＱ２との間に設けた接続点６３４を介して出力端子ＯＵＴ２と電気的に接続している。
【００６７】
逆起電力防止用のＰＮ接合型ダイオードＤ１，Ｄ２，Ｄ３，Ｄ４は、電源端子ＶＭ側にカソードを配置し、グランド端子ＧＮＤ側にアノードを配置して直列接続したＰＮ接合型ダイオードＤ１，Ｄ２、並びにＰＮ接合型ダイオードＤ３，Ｄ４が並列に接続されている。
【００６８】
また、ＰＮ接合型ダイオードＤ３とＰＮ接合型ダイオードＤ４は、直列接続したＰＮ接合型ダイオードＤ３とＰＮ接合型ダイオードＤ４との間に設けた接続点６３２を介して出力端子ＯＵＴ１と電気的に接続している。  
また、直列接続したＰＮ接合型ダイオードＤ１とＰＮ接合型ダイオードＤ２は、直列接続したＰＮ接合型ダイオードＤ１とＰＮ接合型ダイオードＤ２との間に設けた接続点６３５を介して出力端子ＯＵＴ２と電気的に接続している。
【００６９】
そして、出力端子ＯＵＴ１は、直列接続したインダクタＬ１，Ｌ２を介して駆動モーター３２３と電気的に接続され、出力端子ＯＵＴ２は、直列接続したインダクタＬ３，Ｌ４を介して駆動モーター３２３と電気的に接続している。換言すると、出力端子ＯＵＴ１からインダクタＬ１，Ｌ２を介して駆動モーター３２３に至る経路と、出力端子ＯＵＴ２から直列接続したインダクタＬ３，Ｌ４を介して駆動モーター３２３に至る経路とは、駆動モーター３２３とドライバＩＣ６３とを電気的に接続するモーター接続経路であり、モーター接続経路上にインダクタＬ１，Ｌ２，Ｌ３，Ｌ４が直列接続されている。なお、インダクタＬ１，Ｌ２，Ｌ３，Ｌ４については、後ほど詳しく説明する。
【００７０】
このような構成のドライバＩＣ６３は、図８に示すように、入力端子ＩＮ１，ＩＮ２に入力された電圧信号のレベルに基づいて、スイッチ部のスイッチング作用により出力端子ＯＵＴ１，ＯＵＴ２の電圧のレベルを制御して、駆動モーター３２３の動作状態を切替える。
【００７１】
より詳しくは、ドライバＩＣ６３は、回転中の駆動モーター３２３にブレーキ力を作用させるブレーキ状態と、駆動モーター３２３を時計回りに回転させる時計回り状態と、駆動モーター３２３を反時計回りに回転させる反時計回り状態と、回転する駆動モーター３２３を回転停止させる回転停止状態とに駆動モーター３２３を切替え制御する。
【００７２】
例えば、Ｈｉレベルの電圧信号が入力端子ＩＮ１，ＩＮ２に入力された場合、ドライバＩＣ６３は、出力端子ＯＵＴ１，ＯＵＴ２の電圧レベルがＬｏレベル、つまり出力端子ＯＵＴ１と出力端子ＯＵＴ２とが短絡した状態となるようにスイッチ部を切替えて、逆起電力によるブレーキ力を駆動モーター３２３に発生させて回転を規制する。
【００７３】
また、Ｌｏレベルの電圧信号が入力端子ＩＮ１に入力され、Ｈｉレベルの電圧信号が入力端子ＩＮ２に入力された場合、ドライバＩＣ６３は、出力端子ＯＵＴ１の電圧レベルがＬｏレベル、出力端子ＯＵＴ１の電圧レベルがＨｉレベルになるようにスイッチ部を切替えて、駆動モーター３２３を時計回りに回転駆動させる。
【００７４】
また、Ｈｉレベルの電圧信号が入力端子ＩＮ１に入力され、Ｌｏレベルの電圧信号が入力端子ＩＮ２に入力された場合、ドライバＩＣ６３は、出力端子ＯＵＴ１の電圧レベルがＨｉレベル、出力端子ＯＵＴ１の電圧レベルがＬｏレベルとなるようにスイッチ部を切替えて、駆動モーター３２３を反時計回りに回転駆動させる。
【００７５】
また、Ｌｏレベルの電圧信号が入力端子ＩＮ１，ＩＮ２に入力された場合、ドライバＩＣ６３は、出力端子ＯＵＴ１と出力端子ＯＵＴ２とがハイインピーダンスとなるようにスイッチ部をオフ状態に切替えて、駆動モーター３２３の回転を停止させる。
【００７６】
ホッパー制御基板６１の保護回路６４は、図７に示すように、ドライバＩＣ６３の出力端子ＯＵＴ１に直列接続されたインダクタＬ１，Ｌ２と接続したショットキーバリアダイオードＤ５，Ｄ６、出力端子ＯＵＴ２に直列接続されたインダクタＬ３，Ｌ４と接続したショットキーバリアダイオードＤ７，Ｄ８、及びこれらと接続された１つのコンデンサＣ１並びに１つの抵抗器Ｒ１で構成している。
【００７７】
より詳しくは、保護回路６４は、電源側にカソードを配置し、グランド側にアノードを配置して直列接続したショットキーバリアダイオードＤ５，Ｄ６、並びにショットキーバリアダイオードＤ７，Ｄ８を、ドライバＩＣ６３に対して並列接続している。
【００７８】
そして、ショットキーバリアダイオードＤ５のアノード、及びショットキーバリアダイオードＤ６のカソードは、出力端子ＯＵＴ１に直列接続されたインダクタＬ１とインダクタＬ２との間に設けた接続点６４１と電気的に接続している。換言すると、接続点６４１は、モーター接続経路とインダクタＬ１の一端とが接続する接続点であり、モーター接続経路とインダクタＬ２の一端とが接続する接続点である。
【００７９】
一方、ショットキーバリアダイオードＤ７のアノード、及びショットキーバリアダイオードＤ８のカソードは、出力端子ＯＵＴ２に接続されたインダクタＬ３とインダクタＬ４との間に設けた接続点６４２と電気的に接続している。換言すると、接続点６４２は、モーター接続経路とインダクタＬ３の一端とが接続する接続点であり、モーター接続経路とインダクタＬ４の一端とが接続する接続点である。
【００８０】
コンデンサＣ１は、一端をショットキーバリアダイオードＤ５，Ｄ７のカソードと接続し、他端をグランドと接続している。なお、コンデンサＣ１は、ショットキーバリアダイオードＤ５、及びショットキーバリアダイオードＤ７に対する電路の距離が近い位置に配置する。換言すると、コンデンサＣ１は、ショットキーバリアダイオードＤ５、及びショットキーバリアダイオードＤ７の近傍に配置されている。  
抵抗器Ｒ１は、コンデンサＣ１に対して並列接続している。
【００８１】
なお、インダクタＬ１，Ｌ３は、フェライト製の素子とする。  
また、ショットキーバリアダイオードＤ５，Ｄ６，Ｄ７，Ｄ８は、ドライバＩＣ６３のＰＮ接合型ダイオードＤ１，Ｄ２，Ｄ３，Ｄ４の順方向電圧よりも低い順方向電圧を有する素子である。
【００８２】
さらにまた、コンデンサＣ１は、電源とグランドとの間の電路に接続され、ドライバＩＣ６３の近傍に配置されたバイパスコンデンサＣ２の静電容量よりも静電容量が大きい素子とする。なお、バイパスコンデンサＣ２は、ドライバＩＣ６３が電源ノイズの影響を受けることを防止するためのものである。
【００８３】
引き続き、ホッパーユニット３３で帯電した静電気の放電によって生じた放電電流が、駆動モーター３２３を介してホッパー制御基板６１の出力端子ＯＵＴ１へ向けて流入した場合について、図９を用いて詳しく説明する。  
なお、図９は静電気の放電による放電電流の流れを説明する説明図を示している。
【００８４】
駆動モーター３２３を介してホッパー制御基板６１の出力端子ＯＵＴ１へ向けて流入した放電電流は、高周波の電流であるため、インダクタＬ２の作用によってピーク電流が小さくなる。ピーク電流が小さくなった放電電流は、ショットキーバリアダイオードＤ５へ流れる電流と、ドライバＩＣ６３へ流れる電流とに接続点６４１で分割される。
【００８５】
そして、ショットキーバリアダイオードＤ５へ分割された放電電流は、ショットキーバリアダイオードＤ５、コンデンサＣ１に吸収され、抵抗器Ｒ１を介してグランドに流れる。  
ここで、ショットキーバリアダイオードＤ５を介してグランドに流れる電流の経路を電流経路Ａとし、ドライバＩＣ６３に流入する電流の経路を電流経路Ｂとすると、電流経路Ｂを流れる電流に対して、電流経路Ａを流れる電流が大きくなる。
【００８６】
詳しくは、電流経路ＡにおけるショットキーバリアダイオードＤ５は、上述したようにドライバＩＣ６３のＰＮ接合型ダイオードＤ３の順方向電圧より順方向電圧が低い性質を有している。  
このため、電流経路Ｂよりも電流経路Ａへ放電電流が流れ易くなり、電流経路Ａを流れる電流は、電流経路Ｂを流れる電流よりも大きくなる。一方、電流経路Ｂへ流れる放電電流は、インダクタＬ１の作用によって、そのピーク電流がさらに小さくなり、ドライバＩＣ６３に影響を及ぼすことはなくなる。
【００８７】
なお、駆動モーター３２３からドライバＩＣ６３の出力端子ＯＵＴ２に向けて放電電流が流入した場合も同様に、インダクタＬ４、インダクタＬ３、出力端子ＯＵＴ２を介してドライバＩＣ６３に流入する電流に対して、インダクタＬ４、接続点６４２、ショットキーバリアダイオードＤ７、コンデンサＣ１、及び抵抗器Ｒ１を介してグランドに至る電流経路を流れる電流の方が大きくなる。
【００８８】
以上のように放電電流をグランドに流すスロットマシン１は、静電気の放電によって生じた放電電流のドライバＩＣ６３への流入を抑制することができる。  
具体的には、インダクタＬ１，Ｌ２は、低周波の電流を流し易い性質を有する一方で、高周波の電流を流し難い性質を有しているため、駆動モーター３２３を介して流入した放電電流のドライバＩＣ６３への流入を抑制することができる。より詳しくは、インダクタＬ１、及びインダクタＬ２は、駆動モーター３２３を介して流入した放電電流のピーク電流を小さくして出力することができる。
【００８９】
一方、ドライバＩＣ６３から駆動モーター３２３へ流れる直流電流に対して、インダクタＬ１，Ｌ２は、直流電流の流れを阻害することがない。このため、ドライバＩＣ６３と駆動モーター３２３とをインダクタＬ１，Ｌ２を介して電気的に接続しても、ドライバＩＣ６３は、駆動モーター３２３の回転や回転停止を確実に切替え制御することができる。
【００９０】
また、保護回路６４をホッパー制御基板６１に備えたことにより、スロットマシン１は、静電気の放電によって生じた放電電流のドライバＩＣ６３への流入をより抑制することができる。  
具体的には、ショットキーバリアダイオードＤ５とドライバＩＣ６３とを並列接続しているため、保護回路６４は、駆動モーター３２３から流入する放電電流を、ショットキーバリアダイオードＤ５へ流れる電流と、ドライバＩＣ６３へ流れる電流とに分割することができる。
【００９１】
さらに、インダクタＬ１，Ｌ２を有するため、保護回路６４は、インダクタＬ１，Ｌ２によって放電電流のピーク電流を小さくできる。これにより、保護回路６４は、放電電流の分割とインダクタＬ１，Ｌ２とによって、ドライバＩＣ６３に流入する放電電流の電流をより小さくすることができる。  
従って、スロットマシン１は、保護回路６４によって、静電気の放電によって生じた放電電流のドライバＩＣ６３への流入をより抑制して、ドライバＩＣ６３を保護することができる。
【００９２】
また、ＰＮ接合型ダイオードＤ３の順方向電圧よりも順方向電圧が低いショットキーバリアダイオードＤ５を保護回路６４に備えたことにより、スロットマシン１は、静電気の放電によって生じた放電電流のドライバＩＣ６３への流入をより確実に抑制することができる。
【００９３】
具体的には、並列接続されたショットキーバリアダイオードＤ５及びＰＮ接合型ダイオードＤ３に対して、インダクタＬ２を直列接続した電路となるため、保護回路６４は、インダクタＬ２を介して流入した放電電流を、ショットキーバリアダイオードＤ５へ流れる電流とＰＮ接合型ダイオードＤ３へ流れる電流とに分割することができる。
【００９４】
この際、ＰＮ接合型ダイオードＤ３の順方向電圧よりもショットキーバリアダイオードＤ５の順方向電圧が低い、すなわち電流が流れ始める印加電圧がショットキーバリアダイオードＤ５の方が低いため、保護回路６４は、ＰＮ接合型ダイオードＤ３へ電流を流れ難くし、ショットキーバリアダイオードＤ５へ電流を流し易くすることができる。
【００９５】
これにより、保護回路６４は、ショットキーバリアダイオードＤ５へ流れる放電電流の割合を大きくすることができる。  
従って、スロットマシン１は、ＰＮ接合型ダイオードＤ３及びショットキーバリアダイオードＤ５における順方向電圧の差異によって、静電気の放電によって生じた放電電流をショットキーバリアダイオードＤ５へ積極的に流すことができるため、放電電流のドライバＩＣ６３への流入をより確実に抑制することができる。
【００９６】
また、インダクタＬ１を保護回路６４に備えたことにより、スロットマシン１は、静電気の放電によって生じた放電電流のドライバＩＣ６３への流入をより確実に抑制することができる。  
具体的には、直列接続したＰＮ接合型ダイオードＤ３及びインダクタＬ１に対して、ショットキーバリアダイオードＤ５を並列接続した電路となるため、保護回路６４は、駆動モーター３２３側から流入した放電電流を、ＰＮ接合型ダイオードＤ３及びインダクタＬ１へ流れる電流と、ショットキーバリアダイオードＤ５へ流れる電流とに分割することができる。
【００９７】
この時、ショットキーバリアダイオードＤ５に順方向バイアスがかかっていれば、インダクタＬ１のインピーダンスよりもショットキーバリアダイオードＤ５のインピーダンスが小さくなるため、保護回路６４は、インダクタＬ１へ流れる放電電流の電流に対して、ショットキーバリアダイオードＤ５へ流れる放電電流の電流を大きくすることができる。これにより、保護回路６４は、ショットキーバリアダイオードＤ５へ流れる放電電流の割合を大きくすることができる。
【００９８】
さらに、インダクタＬ１により、保護回路６４は、ドライバＩＣ６３に流入する放電電流のピーク電流をより小さくすることができる。  
従って、スロットマシン１は、ショットキーバリアダイオードＤ５及びインダクタＬ１におけるインピーダンスの差異によって、静電気の放電によって生じた放電電流をショットキーバリアダイオードＤ５へ積極的に流すことができるため、放電電流のドライバＩＣ６３への流入をより確実に抑制することができる。
【００９９】
また、コンデンサＣ１をショットキーバリアダイオードＤ５の近傍に備えたことにより、スロットマシン１は、静電気の放電によって生じた放電電流のドライバＩＣ６３への流入をより確実に抑制することができる。  
具体的には、ショットキーバリアダイオードＤ５を通った放電電流はこのコンデンサＣ１に流入するようになる。よって、ドライバ回路の電源に影響を及ぼすことがなくなる。
【０１００】
また、ドライバＩＣ６３の近傍にあるバイパスコンデンサＣ２の静電容量よりも静電容量が大きいコンデンサＣ１を備えたことにより、コンデンサＣ１の方が高周波に対してのインピーダンスが小さくなるため、より確実にコンデンサＣ１で放電電流を吸収することができる。
【０１０１】
従って、スロットマシン１は、バイパスコンデンサＣ２の静電容量より静電容量が大きいコンデンサＣ１をショットキーバリアダイオードＤ５の近傍に備えたことにより、静電気の放電によって生じた放電電流をコンデンサＣ１で吸収できるため、放電電流のドライバＩＣ６３への流入をより確実に抑制することができる。
【０１０２】
また、駆動モーター３２３からドライバＩＣ６３の出力端子ＯＵＴ２に向けて放電電流が流入した場合においても、スロットマシン１は、駆動モーター３２３からドライバＩＣ６３の出力端子ＯＵＴ１へ向けて放電電流が流入した場合と同様の効果を奏することができる。
【０１０３】
なお、上述した実施例において、第１マイコン４４、及び第２マイコン５４を制御手段として説明したが、これに限定せず、ＣＰＵ、ＲＡＭ、及びＲＯＭをそれぞれ制御基板上に備え、ＣＰＵ、ＲＡＭ、及びＲＯＭの協働によって動作を制御する構成の制御手段としてもよい。
【０１０４】
また、駆動モーター３２３の動作状態の切替えをドライバＩＣ６３で実現したが、これに限定せず、駆動モーター３２３の動作状態を切替え可能であれば、適宜の構成としてもよい。例えば、ホッパー制御基板６１上に別体で実装したトランジスタやダイオードなどで構成したドライバ回路としてもよい。
【０１０５】
また、駆動モーター３２３の動作状態として、ブレーキ状態、時計回り状態、反時計回り状態、及び回転停止状態を用いて説明したが、これに限定せず、少なくとも時計回り状態と回転停止状態とを切替え可能であればよい。
【０１０６】
また、ドライバＩＣ６３におけるＰＮ接合型ダイオードＤ１，Ｄ２，Ｄ３，Ｄ４の順方向電位に対して、順方向電位の低いショットキーバリアダイオードＤ５，Ｄ６，Ｄ７，Ｄ８を保護回路６４に備えたが、これに限定せず、ドライバＩＣ６３におけるダイオードの順方向電圧に対して順方向電圧が低い素子であれば、適宜のダイオードを保護回路６４に用いてもよい。例えば、ショットキーバリアダイオードＤ５，Ｄ６，Ｄ７，Ｄ８に代えて、ゲルマニウムダイオードを用いてもよい。
【０１０７】
また、ＰＮ接合型ダイオードＤ１，Ｄ２，Ｄ３，Ｄ４はスイッチ部の電界効果トランジスタとは別個に配置されるものだけでなく、スイッチ部の電界効果トランジスタにできる、寄生ダイオードとしてもよい。  
また、バイパス用素子は、ショットキーバリアダイオードＤ５，Ｄ６，Ｄ７，Ｄ８に限定されず、セラミックコンデンサなどのコンデンサや電界効果型のトランジスタなどのトランジスタを用いてもよい。一例として、バイパス用素子として、ショットキーバリアダイオードＤ５，Ｄ６，Ｄ７，Ｄ８をそれぞれ両極性であって等価直列抵抗（ＥＳＲ）の低いセラミックコンデンサなどのコンデンサに代えてもよい。
【０１０８】
また、ショットキーバリアダイオードＤ５，Ｄ７は、静電気をコンデンサＣ１及び抵抗器Ｒ１を介してグランド（接地）へバイパスさせることとしていたが、これに限定されず、流入した静電気を電源へバイパスさせることとしてもよい。  
また、インダクタＬ１，Ｌ２，Ｌ３，Ｌ４のインピーダンスに対して、インピーダンスの小さいショットキーバリアダイオードＤ５，Ｄ６，Ｄ７，Ｄ８を保護回路６４に備えたが、これに限定せず、インダクタのインピーダンスに対して、ダイオードのインピーダンスが小さい素子であれば、適宜のインダクタ、及びダイオードを用いてもよい。
【０１０９】
また、インダクタＬ１，Ｌ２，Ｌ３，Ｌ４をすべて用いる場合に限定されず、インダクタＬ２，Ｌ４（本発明のモーター側インダクタに相当）のみを用いるとしても、インダクタＬ１，Ｌ３（本発明の回路側インダクタに相当）のみを用いるとしてもよい。
【０１１０】
この発明の構成と、上述の実施形態との対応において、
この発明の遊技媒体は、実施形態のメダルＭに対応し、
以下同様に、
媒体貯留部は、払出しユニット３３ａに対応し、
ドライバ回路は、ドライバＩＣ６３に対応し、
モーター接続経路は、ドライバＩＣの出力端子ＯＵＴ１からインダクタＬ１及びインダクタＬ２を経て駆動モーター３２３へ至る経路、及びドライバＩＣの出力端子ＯＵＴ２からインダクタＬ３及びインダクタＬ４を経て駆動モーター３２３へ至る経路に対応し、
遊技機は、スロットマシン１に対応し、
インダクタは、インダクタＬ１、インダクタＬ２、インダクタＬ３、及びインダクタＬ４に対応し、
モーター接続経路とインダクタの一端とが接続する接続点は、接続点６４１、及び接続点６４２に対応し、
バイパス用素子は、ショットキーバリアダイオードＤ５、ショットキーバリアダイオードＤ６、ショットキーバリアダイオードＤ７、及びショットキーバリアダイオードＤ８に対応し、
電界効果トランジスタは、電界効果トランジスタＱ１、電界効果トランジスタＱ２、電界効果トランジスタＱ３、及び電界効果トランジスタＱ４に対応し、
回路内ダイオードは、ＰＮ接合型ダイオードＤ１、ＰＮ接合型ダイオードＤ２、ＰＮ接合型ダイオードＤ３、及びＰＮ接合型ダイオードＤ４に対応し、
ダイオードは、ショットキーバリアダイオードＤ５、ショットキーバリアダイオードＤ６、ショットキーバリアダイオードＤ７、及びショットキーバリアダイオードＤ８に対応し、
モーター側インダクタは、インダクタＬ２、及びインダクタＬ４に対応し、
回路側インダクタは、インダクタＬ１、及びインダクタＬ３に対応するが、
この発明は、上述の実施形態の構成のみに限定されるものではなく、多くの実施の形態を得ることができる。
【産業上の利用可能性】
【０１１１】
本発明は、スロットマシンに限定せず、貯留された遊技媒体を駆動モーターによって遊技者に排出可能であって、静電気が帯電するような媒体貯留部を備えた遊技機に適用することができる。
【符号の説明】
【０１１２】
１…スロットマシン
３３ａ…払出しユニット
６３…ドライバＩＣ
６４…保護回路
３２３…駆動モーター
６４１，６４２…接続点
Ｃ１…コンデンサ
Ｃ２…バイパスコンデンサ
Ｄ１，Ｄ２，Ｄ３，Ｄ４…ＰＮ接合型ダイオード
Ｄ５，Ｄ６，Ｄ７，Ｄ８…ショットキーバリアダイオード
Ｌ１，Ｌ２，Ｌ３，Ｌ４…インダクタ
Ｑ１，Ｑ２，Ｑ３，Ｑ４…電界効果トランジスタ
Ｍ…メダル
【要約】
【課題】静電気の放電によって生じた放電電流のドライバＩＣ６３への流入を抑制することができるスロットマシン１を提供することを目的とする。
【解決手段】貯留したメダルＭを排出するための駆動モーター３２３を有する払出しユニット３３ａと、駆動モーター３２３の回転及び回転停止を切替えるドライバＩＣ６３と、駆動モーター３２３とドライバＩＣ６３とを電気的に接続するモーター接続経路と、ドライバＩＣ６３を静電気から保護する保護回路６４とを備えたスロットマシン１であって、保護回路６４は、モーター接続経路上に直列接続したインダクタＬ１〜Ｌ４と、モーター接続経路とインダクタＬ１〜Ｌ４の一端とが接続する接続点６４１，６４２と、接続点６４１，６４２に接続され静電気をコンデンサＣ１及び抵抗器Ｒ１を介して接地へバイパスするショットキーバリアダイオードＤ５〜Ｄ８とを備えることを特徴とする。
【選択図】図７【図１】
0005782164.tif 000002
【図２】
0005782164.tif 000003
【図３】
0005782164.tif 000004
【図４】
0005782164.tif 000005
【図５】
0005782164.tif 000006
【図６】
0005782164.tif 000007
【図７】
0005782164.tif 000008
【図８】
0005782164.tif 000009
【図９】
0005782164.tif 000010